【手続補正書】
【提出日】平成26年3月3日(2014.3.3)
【手続補正１】
【補正対象書類名】特許請求の範囲
【補正対象項目名】全文
【補正方法】変更
【補正の内容】
【特許請求の範囲】
【請求項１】
プラグ（１０）とこのプラグ（１０）が差込係合されるソケット（２０）とを備え、
前記プラグ（１０）は、ベルト装着部（１９）を有する基部（１１）と、前記基部（１１）から突起した一対の脚部（１２）と、前記脚部（１２）にそれぞれ形成された係合部（１４）と、前記脚部（１２）を互いに連結する連結部（１５）と、を有し、
前記ソケット（２０）は、ベルト装着部（２９）および差込口（２２）を有する本体（２１）と、前記本体（２１）内に形成されて前記差込口（２２）から差し込まれた前記脚部（１２）を収容可能な収容空間（２３）と、前記本体（２１）に形成されて前記係合部（１４）が係合可能な被係合部（２４）と、前記ベルト装着部（２９）の辺縁から前記差込口（２２）側へ向けて形成された切欠き（２５）と、を有し、
前記本体（２１）の表面に形成された前記切欠き（２５）では、前記ベルト装着部（２９）の両端に臨む部位が前記ベルト装着部（２９）に沿って突出された突出部（２５Ａ）とされ、
前記本体（２１）の裏面に形成された前記切欠き（２５）では、前記突出部（２５Ａ）に相当する部分が省略されていることを特徴とするサイドリリースバックル。
【請求項２】
請求項１に記載したサイドリリースバックルにおいて、
前記本体（２１）の裏面に形成された前記切欠き（２５）は、前記本体（２１）の表面に形成された前記切欠き（２５）よりも大きいことを特徴とするサイドリリースバックル。
【請求項３】
請求項１または請求項２に記載したサイドリリースバックルにおいて、
前記本体（２１）の表面に形成された前記被係合部（２４）は、前記突出部（２５Ａ）により表面側を覆われており、
前記本体（２１）の裏面に形成された前記被係合部（２４）は、前記切欠き（２５）の辺縁の一部で形成され、前記被係合部（２４）は前記本体（２１）の裏面側に露出していることを特徴とするサイドリリースバックル。
【請求項４】
請求項１から請求項３のいずれかに記載したサイドリリースバックルにおいて、
前記係合部（１４）は、前記脚部（１２）の先端から前記ソケット（２０）の表裏方向に延びる突起で形成され、
前記被係合部（２４）は、前記本体（２１）の内側の４箇所に形成された前記ベルト装着部（２９）向きの段差形状であり、
前記プラグ（１０）と前記ソケット（２０）とが係合した状態では、前記本体（２１）の表面側の前記係合部（１４）は前記突出部（２５Ａ）により覆われ、前記本体（２１）の裏面側の前記係合部（１４）は前記本体（２１）の裏面側に露出されていることを特徴とするサイドリリースバックル。
【請求項５】
請求項１から請求項４のいずれかに記載したサイドリリースバックルにおいて、
前記切欠き（２５）は、前記係合部（１４）と前記被係合部（２４）とが係合した状態で前記収容空間（２３）に収容された一対の前記脚部（１２）および前記連結部（１５）で囲われた領域に形成されていることを特徴とするサイドリリースバックル。
【請求項６】
請求項１から請求項５のいずれかに記載したサイドリリースバックルにおいて、
前記切欠き（２５）は、一対の前記脚部（１２）および前記連結部（１５）の内側形状に沿った輪郭形状に形成されていることを特徴とするサイドリリースバックル。
【請求項７】
請求項１から請求項６のいずれかに記載したサイドリリースバックルにおいて、
前記切欠き（２５）は、前記差込口（２２）側の辺縁の輪郭形状がＣ字状またはＵ字状に形成されていることを特徴とするサイドリリースバックル。
【請求項８】
請求項１から請求項７のいずれかに記載したサイドリリースバックルにおいて、
前記本体（２１）の内側には前記収容空間（２３）内に突出する突条（２５Ｂ）が形成され、この突条（２５Ｂ）は、前記プラグ（１０）を前記ソケット（２０）に差込係合した状態での前記脚部（１２）の先端よりも前記差込口（２２）に近い側に、前記切欠き（２５）の前記差込口（２２）側の辺縁の中央部分から両側へ所定の幅で、前記切欠き（２５）の前記差込口（２２）側の辺縁に沿って連続して形成されていることを特徴とするサイドリリースバックル。
【請求項９】
請求項１から請求項８のいずれかに記載したサイドリリースバックルにおいて、
前記本体（２１）には、前記差込口（２２）から前記ベルト装着部（２９）へ向けて形成された別の切欠き（２８）が形成されていることを特徴とするサイドリリースバックル。
【手続補正２】
【補正対象書類名】明細書
【補正対象項目名】０００８
【補正方法】変更
【補正の内容】
【０００８】
本発明のサイドリリースバックルは、プラグとこのプラグが差込係合されるソケットとを備え、
前記プラグは、ベルト装着部を有する基部と、前記基部から突起した一対の脚部と、前記脚部にそれぞれ形成された係合部と、前記脚部を互いに連結する連結部と、を有し、
前記ソケットは、ベルト装着部および差込口を有する本体と、前記本体内に形成されて前記差込口から差し込まれた前記脚部を収容可能な収容空間と、前記本体に形成されて前記係合部が係合可能な被係合部と、前記ベルト装着部の辺縁から前記差込口側へ向けて形成された切欠きと、を有し、
前記本体の表面に形成された前記切欠きでは、前記ベルト装着部の両端に臨む部位が前記ベルト装着部に沿って突出された突出部とされ、前記本体の裏面に形成された前記切欠きでは、前記突出部に相当する部分が省略されていることを特徴とする。
本発明において、前記本体の裏面に形成された前記切欠きは、前記本体の表面に形成された前記切欠きよりも大きいことが望ましい。
本発明において、前記本体の表面に形成された前記被係合部は、前記突出部により表面側を覆われており、前記本体の裏面に形成された前記被係合部は、前記切欠きの辺縁の一部で形成され、前記被係合部は前記本体の裏面側に露出していることが望ましい。
本発明において、前記係合部は、前記脚部の先端から前記ソケットの表裏方向に延びる突起で形成され、前記被係合部は、前記本体の内側の４箇所に形成された前記ベルト装着部向きの段差形状であり、前記プラグと前記ソケットとが係合した状態では、前記本体の表面側の前記係合部は前記突出部により覆われ、前記本体の裏面側の前記係合部は前記本体の裏面側に露出されていることが望ましい。
【手続補正３】
【補正対象書類名】明細書
【補正対象項目名】０００９
【補正方法】変更
【補正の内容】
【０００９】
このような本発明では、本体に形成された切欠きによりソケットの本体の表面積を小さくすることができ、切欠きがない本体と同じ厚さであってもその材料を削減でき、バックルとしての軽量化を図ることができる。
本発明において、前記切欠きは、前記係合部と前記被係合部とが係合した状態で前記収容空間に収容された一対の前記脚部および前記連結部で囲われた領域に形成されることが好ましい。
この際、切欠きは、係合部と被係合部とが係合した状態、つまりプラグをソケットに嵌め込んだ通常の連結状態において、収容空間に収容された一対の脚部および連結部で囲われた領域の内側を、例えば凹状に切り欠いて形成することができる。
このように形成することで、これら一対の脚部および連結部を外部に露出させることがない。このため、切欠きによる軽量化を図りつつ、外観的な品質低下を生じることがなく、むしろ開放部分が増した軽快な印象が得られる。また、一対の脚部および連結部を外部に露出させないため、他の物品の引っかかり等を防止できる。
【手続補正４】
【補正対象書類名】明細書
【補正対象項目名】００１０
【補正方法】変更
【補正の内容】
【００１０】
本発明において、前記切欠きは、一対の前記脚部および前記連結部の内側形状に沿った輪郭形状に形成されていることが望ましい。
このような本発明では、一対の脚部および連結部を外部に露出させない範囲内で最大限の切欠き面積を形成することができ、最大減の軽量化を図ることができる。
【手続補正５】
【補正対象書類名】明細書
【補正対象項目名】００１１
【補正方法】変更
【補正の内容】
【００１１】
本発明において、前記切欠きは、前記差込口側の辺縁の輪郭形状がＣ字状またはＵ字状に形成されていることが望ましい。
このような本発明では、切欠きの差込口側をＣ字状（奥行きが浅い場合）またはＵ字状（奥行きが深い場合）とすることで、通常Ｃ字状またはＵ字状とされるプラグ側の連結部および脚部の内側の形状に沿った輪郭形状とすることができる。また、このようなＣ字状またはＵ字状など最奥部分が円弧状になっている形状とすることで、輪郭形状に急角度をなす不連続な部位が生じず、応力集中や成形性の問題を回避することができる。
【手続補正６】
【補正対象書類名】明細書
【補正対象項目名】００１２
【補正方法】変更
【補正の内容】
【００１２】
本発明において、前記本体の内側には前記収容空間内に突出する突条が形成され、この突条は、前記プラグを前記ソケットに差込係合した状態での前記脚部の先端よりも前記差込口に近い側に、前記切欠きの前記差込口側の辺縁の中央部分から両側へ所定の幅で、前記切欠きの前記差込口側の辺縁に沿って連続して形成されていることが望ましい。
このような本発明では、連結にあたってプラグの脚部をソケットの差込口から挿入した際に、脚部の先端あるいは係合部が切欠きから露出することを防止でき、プラグが差込方向に対して傾き過ぎていれば、係合部を係止して、傾き過ぎの状態でプラグがソケットに挿入されることを防止でき、プラグが適切な姿勢の時にのみ一対の係合部をそれぞれ被係合部へと案内して、円滑な挿入動作が行われるようにできる。